(57)【要約】      （修正有）【課題】１枚の可撓性シートの使用のみで衝撃に弱い物品の運搬時及び落下時の衝撃を緩和し並びにその衝撃が物品に伝わることを防止し、且つ容器の組み立て及び物品収納作業を瞬時に行うことのできる緩衝保持容器を提供する。【解決手段】紙片を切り込み、折り曲げて所定形状に組み立てた外側容器２及び同様に紙片を切り込み、折り曲げて所定形状に組み立てた内側容器３とよりなる物品を挟持する緩衝保持容器１において、底片、側壁片、外蓋片２９、３１及び該外蓋片２９、３１内側に位置する内蓋片３０、３２とで該外側容器２を形成し、該外側容器２内に収納される側壁片、開口部を設けた中央片及び該開口部を覆って張設した物品を載置する可撓性フィルムとで内側容器３を形成し、該内蓋片３０、３２及び／又は外蓋片２９、３１を該可撓性フィルム上で係止させることで該物品を該可撓性フィルム側に押し付け挟持してなることを特徴とする緩衝保持容器１。【選択図】図１
0003197405.tif 000002
【実用新案登録請求の範囲】
【請求項１】
紙片を切り込み、折り曲げて所定形状に組み立てた外側容器及び同様に紙片を切り込み、折り曲げて所定形状に組み立てた内側容器とよりなる物品を挟持する緩衝保持容器において、底片、側壁片、外蓋片及び該外蓋片内側に位置する内蓋片とで該外側容器を形成し、該外側容器内に収納される側壁片、開口部を設けた中央片及び該開口部を覆って張設した物品を載置する可撓性フィルムとで内側容器を形成し、該内蓋片及び／又は外蓋片を該可撓性フィルム上で係止させることで該物品を該可撓性フィルム側に押し付け挟持してなることを特徴とする緩衝保持容器。
【請求項２】
内蓋片は、対向位置となる側壁片の上端部の折り曲げ部より各々対向位置側へ折り曲げられる２片とし、内蓋基部片、該内蓋基部片の折り曲げ部より底片側へ折り曲げられる垂下片、該垂下片に連続する対向位置側へ延設した物品押え付け片及び該物品押え付け片の先端部の係止片とで形成したことを特徴とする請求項１記載の緩衝保持容器。
【請求項３】
物品押え付け片は、内側容器の開口部を覆うことのできる広幅とし、その先端部の係止片は、各々の係止片を上下に重ねることで着脱自在に係止されることを特徴とする請求項２記載の緩衝保持容器。
【請求項４】
外蓋片は、その先端部に設けた挿入片を内蓋片に設けた貫通孔へ挿入係止させることで、該内蓋片の保持と外側容器の閉鎖をなすことを特徴とする請求項１乃至３のいずれか記載の緩衝保持容器。
【請求項５】
内側容器の側壁片は、外側容器の側壁片に接する外側側壁片と開口部側の内側側壁片とで形成し、外側容器の底片上にその先端側が載置される二重片とし、該底片と可撓性フィルムとの間に所定間隔の有る空間を確保し、内蓋片及び／又は外蓋片による物品の下方側への押え付けに対して保持力のある組み立て片としたことを特徴とする請求項１乃至４のいずれか記載の緩衝保持容器。
【考案の詳細な説明】
【技術分野】
【０００１】
本考案は、壊れやすい物品を挟持して運ぶための容器で、その運搬時における外部からの各種衝撃或いは該容器を落下させた時の大きな衝撃から該物品が破損することを防止するための緩衝保持容器に関するものである。
【背景技術】
【０００２】
従来より衝撃に弱い物品を容器に梱包して運搬する場合、外部からの各種衝撃や該容器の落下による衝撃から該物品を守るためにそれらの衝撃を吸収する緩衝部材を該容器と物品との間に介在させたり又は物品を緩衝部材で巻き付けたりするか、或いは物品の形状に合った緩衝部材を予め形成し、その中に物品を配置させて該物品が破損することを防止している。
【０００３】
上記防止手段は、前者にあっては物品に対する対衝撃担保を必ずしも得られず、また、容器と物品との間に緩衝部材を配設する作業が必要であった。また、後者にあっては異なる形状に合った様々な多数の緩衝部材を製造しなければならず経済的ではなかった。また、該緩衝部材となる材料を容器以外に別途求める必要があり高価なものとなっていた。いずれにしても容器の落下等により大きな衝撃を受けると緩衝部材そのものの破損や該緩衝部材の緩衝機能の消失等により物品に損傷が生じるおそれがあった。更に、それらの緩衝部材は反復使用ができないことが多く、使用後に不用品として廃棄され、環境上からも問題があった。
【０００４】
他方、弾力性を有する可撓性シート間に物品を挟持させ、外部からの衝撃が該物品に直接伝わることを防止する可撓性シート付の容器が存在する。それらのものは中央の開口部に該可撓性シートを被覆した容器とし、別途同じような容器を用意し、その相互の可撓性シート間に物品を挟持するものであるが、物品を挟持するためには２枚の可撓性シートを必要とし、高価な可撓性シートの使用量が多くなるという欠点があった。
【０００５】
また、可撓性シート間に物品を挟持することになるので、強い衝撃が生じると可撓性シートが大きく揺れ、物品の安定的な固定状態が得られる保証は必ずしもなかった。
【０００６】
更に、物品を保持する強度を得るため、容器の側壁を２枚の紙片を重ねて形成しているものがあるが、その重ね状態を保持するための紙片相互の固定作業が必要となっており、物品を収納することのできる強度のある容器の組み立て完成までに多くの時間を必要としていた。
【特許文献１】特許第３３０６４０５号公報
【特許文献２】特許第３３５９００１号公報
【考案の開示】
【考案が解決しようとする課題】
【０００７】
本考案は、上記欠点を解決したもので、１枚の可撓性シートの使用のみで衝撃に弱い物品の運搬時及び落下時の衝撃を緩和し並びにその衝撃が物品に伝わることを防止し、且つ、容器の組み立て及び物品収納作業を瞬時に行うことのできる緩衝保持容器に関するものである。
【０００８】
本考案は、緩衝保持容器の外側容器の蓋側の板体と内側容器側の可撓性フィルムとの間に挿入された物品は該可撓性フィルムによって弾力的に保持されると同時に、該物品を収納した容器に外部から衝撃が加わっても、その衝撃が該物品に直接伝わらないように該物品を保持する該板体と該可撓性フィルムとにより該物品を弾発的で強固に収納保持できる緩衝保持容器を提供するものである。
【課題を解決するための手段】
【０００９】
本考案は、紙片を切り込み、折り曲げて所定形状に組み立てた外側容器及び同様に紙片を切り込み、折り曲げて所定形状に組み立てた内側容器とよりなる物品を挟持する緩衝保持容器において、底片、側壁片、外蓋片及び該外蓋片内側に位置する内蓋片とで該外側容器を形成し、該外側容器内に収納される側壁片、開口部を設けた中央片及び該開口部を覆って張設した物品を載置する可撓性フィルムとで内側容器を形成し、該内蓋片及び／又は外蓋片を該可撓性フィルム上で係止させることで該物品を該可撓性フィルム側に押し付け挟持してなる緩衝保持容器を特徴とする。
【００１０】
また、上記内蓋片は、対向位置となる側壁片の上端部の折り曲げ部より各々対向位置側へ折り曲げられる２片とし、内蓋基部片、該内蓋基部片の折り曲げ部より底片側へ折り曲げられる垂下片、該垂下片に連続する対向位置側へ延設した物品押え付け片及び該物品押え付け片の先端部の係止片とで形成した緩衝保持容器を特徴とする。
【００１１】
更に、上記物品押え付け片は、内側容器の開口部を覆うことのできる広幅とし、その先端部の係止片は、各々の係止片を上下に重ねることで着脱自在に係止される緩衝保持容器を特徴とする。
【００１２】
また、上記外蓋片は、その先端部に設けた挿入片を内蓋片に設けた貫通孔へ挿入係止させることで、該内蓋片の保持と外側容器の閉鎖をなす緩衝保持容器を特徴とする。
【００１３】
更に、上記内側容器の側壁片は、外側容器の側壁片に接する外側側壁片と開口部側の内側側壁片とで形成し、外側容器の底片上にその先端側が載置される二重片とし、該底片と可撓性フィルムとの間に所定間隔の有る空間を確保し、内蓋片及び／又は外蓋片による物品の下方側への押え付けに対して保持力のある組み立て片とした緩衝保持容器を特徴とする。
【考案の効果】
【００１４】
本考案の緩衝保持容器は、一枚の紙片を切り込み、折り曲げて所定箇所を係止することで組み立て、外側容器及び内側容器を各々別体として形成し、且つ、その組み立ては主として折り曲げ、重ね合わせ、貫通孔への挿入等の簡易な手段により行うことができ、接着手段を使用することなく強固な容器を完成させることができる。また、簡単に元の平坦状の紙片に戻すことができ、使用後に空き箱のようにかさばることがなく、それらを積層することで多くのものを運搬することができ、再利用率を高めることが可能となった。
【００１５】
また、ダンボール等の紙片が弾力性を有することを利用し、高価な可撓性フィルムを一枚のみ使用するだけで壊れやすい物品を該紙片と該可撓性フィルムとで挟持し、衝撃に対して安全に物品を運搬することが可能となった。
【図面の簡単な説明】
【００１６】
【図１】本考案の緩衝保持容器の外側容器及び内側容器の関係を示す分解斜視図。
【図２】本考案の緩衝保持容器の外側容器の展開図。
【図３】本考案の緩衝保持容器の内側容器の展開図。
【図４】本考案の緩衝保持容器の内側容器に可撓性フィルムを張設した状態の展開図。
【図５】本考案の緩衝保持容器内の内側容器に物品を載置し、外側容器の内蓋片で該物品を押えている状態を示す中央断面図。
【図６】本考案の緩衝保持容器内の内側容器に物品を載置し、外側容器の内蓋片で該物品を押えている状態を示す他の実施例の中央断面図。
【考案を実施するための形態】
【００１７】
以下、図面を参考に本考案を実施するための最良の形態についてその実施例を説明する。
【実施例１】
【００１８】
図１は、本考案の壊れ易い物品を挟持して運ぶための該物品を収納する緩衝保持容器１の分解斜視図で、外側容器２と該外側容器２内に収納される収納前の状態の内側容器３を示し、該外側容器２は、その蓋側を開放した状態を示している。
【００１９】
本考案の緩衝保持容器１は、ダンボール等の紙片をプレス機等により切断及び押圧加工して容器として組み立てることを可能としたもので、外側容器２、内側容器３より構成し、該内・外容器２、３により物品を挟持できるようにしたものである。
【００２０】
該外側容器２は、図２の展開図に示すように、該外側容器２の底部を形成する側に縦方向の切断部４、５、６により第１底片７、第２底片８、第３底片９及び第４底片１０を形成し、その上端部に第１底側折り曲げ部１１、第２底側折り曲げ部１２、第３底側折り曲げ部１３及び第４底側折り曲げ部１４を形成し、各々内側の直交方向に折り曲げて重ねることで底部を形成する。
【００２１】
該第１底片７乃至第４底片１０には、該第１底側折り曲げ部１１乃至第４底側折り曲げ部１４を介して第１側壁片１５、第２側壁片１６、第３側壁片１７及び第４側壁片１８を折り曲げ自在に連結し、それらの相互間の第１側壁側折り曲げ部１９、第２側壁側折り曲げ部２０及び第３側壁側折り曲げ部２１を直交方向へ折り曲げることで側壁を形成する。
【００２２】
また、第１側壁片１５乃至第４側壁片１８には、各々第１蓋側折り曲げ部２２、第２蓋側折り曲げ部２３、第３蓋側折り曲げ部２４及び第４蓋側折り曲げ部２５を形成し、該第１蓋側折り曲げ部２２乃至第４蓋側折り曲げ部２５を介して蓋側を形成する縦方向に切断部２６、２７、２８を形成し、各々第１外蓋片２９、第１内蓋片３０、第２外蓋片３１及び第２内蓋片３２を折り曲げ自在に連結している。
【００２３】
該第１外蓋片２９及び第２外蓋片３１は、係止手段により該緩衝保持容器１における外側容器２の外蓋を形成するもので、該第１外蓋片２９には第１係止折り曲げ部３３、該第２外蓋片３１には第２係止折り曲げ部３４を形成し、それら第１係止折り曲げ部３３及び第２係止折り曲げ部３４に第１挿入片３５及び第２挿入片３６を折り曲げ自在に連結し、該第１挿入片３５の一端部及び第２挿入片３６の一端部を該第１内蓋片３０の該第２蓋側折り曲げ部２３に折り曲げ自在に連結した第１内蓋基部片３７の縁部に設けた切断部３９の中央部から該第１内蓋基部片３７の縦方向に形成した貫通孔４０に挿入するように形成している。
【００２４】
また、同様に、第１挿入片３５の他端部及び第２挿入片３６の他端部は、第２内蓋片３２の該第４蓋側折り曲げ部２５に折り曲げ自在に連結した第２内蓋基部片３８の縁部に設けた切断部４１の中央部から該第２内蓋基部片３８の縦方向に形成した貫通孔４２に挿入するように形成している。
【００２５】
上記第１内蓋片３０の該切断部３９及び第２内蓋片３２の該切断部４１は、該切断部３９の両端部側に第１内側折り曲げ部４３を形成し、他方、該切断部４１の両端部側に第２内側折り曲げ部４４を形成し、各々第１垂下片４５、第２垂下片４６及び第３垂下片４７、第４垂下片４８を折り曲げ自在に連結形成している。
【００２６】
該切断部３９及び切断部４１は、該切断部３９にあっては、その両端部側の該第１内側折り曲げ部４３側において該第１内蓋片３０の縦方向に切断部４９、５０を形成し、該切断部３９、４９、５０によって舌片を形成している。
【００２７】
他方、該切断部４１にあっては、その両端部側の第２内側折り曲げ部４４側において第２内蓋片３２の縦方向に切断部５１、５２を形成し、該切断部４１、５１、５２によって舌片を形成している。
【００２８】
そして、該第１垂下片４５、第２垂下片４６の縁部に各々第３内側折り曲げ部５３、５４を形成し、該第３垂下片４７、第４垂下片４８の縁部に各々第４内側折り曲げ部５５、５６を形成している。
【００２９】
更に、該切断部３９によって形成した舌片及び第３内側折り曲げ部５３、５４と連続して第１物品押え付け片５７を形成し、他方、該切断部４１によって形成した舌片及び第４内側折り曲げ部５５、５６と連続して第２物品押え付け片５８を形成している。
【００３０】
該第１内蓋片３０の先端部には係止片５９、６０を突出形成し、同様に、第２内蓋片３２の先端部には係止片６１を突出形成している。
【００３１】
上記のように切断部及び折り曲げ部を形成した紙片において、第１側壁側折り曲げ部１９、第２側壁側折り曲げ部２０及び第３側壁側折り曲げ部２１を各々内側へ直交方向に折り曲げることで側壁側を矩形とする形状にできる。その状態は、第１側壁片１５又は第４側壁片１８に適宜の係止手段を設けて端部相互を連結し、同時に、第１底片７乃至第４底片１０を組み合わせて係止することで矩形形状を保持することができる。本実施例では第１側壁片１５の側縁部６２に連結舌片６３を突出し、該連結舌片６３を第４側壁片１８の側縁部の内側に貼着することで側壁側の形状を保持している。
【００３２】
第１底片７乃至第４底片１０は、その相互間を切断部４、５、６としているので、該第１側壁片１５乃至第４側壁片１８の折り曲げに追随して隣接底片は直交位置に配置することになり、該第２底片８及び第４底片１０を内側に位置させ、第１底片７及び第３底片９を外側に位置させて重ね合わせ、該第１底片７及び第３底片９の端縁部相互を当接させ、紙テープ等の適宜手段で両者を連結することにより底部及び側壁部を組み立て完成させることができ、外側容器２の形状を得ることができる。
【００３３】
図３、図４は、該内側容器３の展開図である。該内側容器３は、該外側容器２内に挿入し、その底部に載置することになるが、該外側容器２の内壁に密着状態で嵌合され、載置時にはその表面部が該外側容器２における高さ方向の中ほどに位置するように、その縦、横寸法及び高さ寸法を形成している。該内側容器３は、表面部と周囲の側壁部とより形成し、該表面部は中央の大きな開口部６４と、該開口部６４へ突出した状態で第１内側側壁片６５、第２内側側壁片６６、第３内側側壁片６７及び第４内側側壁片６８を形成し、その第１内側側壁片６５及び第２内側側壁片６６間には第１切断部６９、第２内側側壁片６６及び第３内側側壁片６７間には第２切断部７０、第３内側側壁片６７及び第４内側側壁片６８間には第３切断部７１、第４内側側壁片６８及び第１内側側壁片６５間には第４切断部７２を各々形成し、その各々の基端側には該第１内側側壁片６５乃至第４内側側壁片６８を該開口部６４の背面側へ折り曲げることができるように折り曲げ部７３乃至７６を形成し、内側側壁部となるようにしている。
【００３４】
該第１内側側壁片６５の基端側には第１内側折り曲げ部７３、該第２内側側壁片６６の基端側には第２内側折り曲げ部７４、該第３内側側壁片６７の基端側には第３内側折り曲げ部７５及び第４内側側壁片６８の基端側には第４内側折り曲げ部７６を形成し、該第１内側側壁片６５乃至第４内側側壁片６８を背面側に折り曲げることができるようにしている。
【００３５】
他方、第１内側側壁片６５乃至第４内側側壁片６８の先端側には、その中央部に各々第１係止用突片７７乃至第４係止用突片８０を形成し、該第１内側側壁片６５乃至第４内側側壁片６８を背面側へ折り曲げ内側側壁部の形状を維持するための係止手段としている。
【００３６】
該第１内側側壁片６５乃至第４内側側壁片６８の第１内側折り曲げ部７３乃至第４内側折り曲げ部７６を介して第１可撓性フィルム支持片８１乃至第４可撓性フィルム支持片８４を連続形成している。該第１可撓性フィルム支持片８１乃至第４可撓性フィルム支持片８４は、開口部６４を覆う可撓性フィルムＦの周縁部を支持するための平坦部を形成することになる。
【００３７】
該第１可撓性フィルム支持片８１乃至第４可撓性フィルム支持片８４の他方側の端縁部には、第１可撓性フィルム支持片８１に第１外側折り曲げ部８５、第２可撓性フィルム支持片８２に第２外側折り曲げ部８６、第３可撓性フィルム支持片８３に第３外側折り曲げ部８７及び第４可撓性フィルム支持片８４に第４外側折り曲げ部８８を各々形成している。
【００３８】
該第１可撓性フィルム支持片８１には、その端縁部の第１外側折り曲げ部８５を介して第１外側側壁片８９、第２可撓性フィルム支持片８２には、その端縁部の第２外側折り曲げ部８６を介して第２外側側壁片９０、第３可撓性フィルム支持片８３には、その端縁部の第３外側折り曲げ部８７を介して第３外側側壁片９１及び第４可撓性フィルム支持片８４には、その端縁部の第４外側折り曲げ部８８を介して第４外側側壁片９２を折り曲げ自在に連結している。
【００３９】
該第１外側側壁片８９乃至第４外側側壁片９２には、各々第１折り返し折り曲げ部９３、第２折り返し折り曲げ部９４、第３折り返し折り曲げ部９５及び第４折り返し折り曲げ部９６を形成し、該第１折り返し折り曲げ部９３乃至第４折り返し折り曲げ部９６を介して各々第１折り返し片９７、第２折り返し片９８、第３折り返し片９９及び第４折り返し片１００を折り曲げ自在に連結している。
【００４０】
また、該第１外側側壁片８９の長手方向の端縁部には、第１補強折り曲げ部１０１及び第２補強折り曲げ部１０２を形成し、同様に、第３外側側壁片９１の長手方向の端縁部には、第３補強折り曲げ部１０３及び第４補強折り曲げ部１０４を形成し、第１外側側壁片８９には該第１補強折り曲げ部１０１及び第２補強折り曲げ部１０２を介して第１隅部補強片１０５及び第２隅部補強片１０６を折り曲げ自在に連結し、第３外側側壁片９１には第３隅部補強片１０７及び第４隅部補強片１０８を折り曲げ自在に連結している。
【００４１】
該第２折り返し片９８の両端部には、外方へ突出した第１補強片１０９及び第２補強片１１０を連続形成し、第４折り返し片１００の両端部には、同様に外方へ突出した第３補強片１１１及び第４補強片１１２を各々連続形成し、該第１補強片１０９にあっては第１係止用折り曲げ部１１３を介して第１係止用突片１１７を折り曲げ自在に連結し、第２補強片１１０にあっては第２係止用折り曲げ部１１４を介して第２係止用突片１１８を折り曲げ自在に連結し、第３補強片１１１にあっては第３係止用折り曲げ部１１５を介して第３係止用突片１１９を折り曲げ自在に連結し及び第４補強片１１２にあっては第４係止用折り曲げ部１１６を介して第４係止用突片１２０を折り曲げ自在に連結している。
【００４２】
該第１折り返し折り曲げ部９３の折り曲げライン上には第１係止用貫通孔１２１乃至第３係止用貫通孔１２３を形成し、中央部に形成した第２係止用貫通孔１２２には、該第１外側側壁片８９及び第１折り返し片９７を折り曲げた状態で第１内側側壁片６５を折り曲げた先端の第１係止用突片７７を挿入係止し、該第１内側側壁片６５と第１外側側壁片８９とで二重とした強度のある立設側壁を形成することができる。
【００４３】
同様に、第３折り返し折り曲げ部９５の折り曲げライン上には第４係止用貫通孔１２４乃至第６係止用貫通孔１２６を形成し、中央部に形成した第５係止用貫通孔１２５には、該第３外側側壁片９１及び第３折り返し片９９を折り曲げた状態で第３内側側壁片６７を折り曲げた先端の第３係止用突片７９を挿入係止し、該第３内側側壁片６７と第３外側側壁片９１とで二重とした強度のある立設側壁を形成することができる。
【００４４】
また、第２補強折り曲げ部１０２及び第３補強折り曲げ部１０３に沿って第２隅部補強片１０６及び第３隅部補強片１０６、１０７を折り曲げて該第２外側側壁片９０の内側に重ね合わせ、該第２折り返し片９８より連続して突出した一方側の第１係止用突片１１７を第１係止用折り曲げ部１１３に沿って折り曲げ、第１外側側壁片８９の第１折り返し折り曲げ部９３の折り曲げライン上の係止用貫通孔１２３に挿入係止する。同様に、該第２折り返し片９８より連続して突出した他方側の第２係止用突片１１８を第２係止用折り曲げ部１１４に沿って折り曲げ、第３外側側壁片９１の第３折り返し折り曲げ部９５の折り曲げライン上の係止用貫通孔１２６に挿入係止する。更に、第２折り返し折り曲げ部９４の折り曲げライン上に形成した第７係止用貫通孔１２７には第２内側側壁片６６を折り曲げてその先端の第２係止用突片７８を挿入係止する。
【００４５】
他方、第１補強折り曲げ部１０１及び第４補強折り曲げ部１０４に沿って第１隅部補強片１０５及び第４隅部補強片１０８を折り曲げて該第４外側側壁片９２の内側に重ね合わせ、該第４折り返し片１００より連続して突出した一方側の第３係止用突片１１９を第３係止用折り曲げ部１１５に沿って折り曲げ、第３外側側壁片９１の第３折り返し折り曲げ部９５の折り曲げライン上の第４係止用貫通孔１２４に挿入係止する。同様に、該第４折り返し片１００より連続して突出した他方側の第４係止用突片１２０を第４係止用折り曲げ部１１６に沿って折り曲げ、第１外側側壁片８９の第１折り返し折り曲げ部９３の折り曲げライン上の第１係止用貫通孔１２１に挿入係止する。更に、第４折り返し折り曲げ部９６の折り曲げライン上に形成した第８係止用貫通孔１２８には第４内側側壁片６８を折り曲げてその先端の第４係止用突片８０を挿入係止する。
【００４６】
また、図４に示すように、第１外側側壁片８９、第２外側側壁片９０、第３外側側壁片９１及び第４外側側壁片９２の表面側には可撓性フィルムＦを固定する。該可撓性フィルムＦは、開口部６４の周囲に形成した第１可撓性フィルム支持片８１乃至第４可撓性フィルム支持片８４による表面側の平端部によりその周囲を保持し、該開口部６４全体を覆うことになる。
【００４７】
上記一連の折り曲げ、組み立て、所定箇所の係止及び可撓性フィルムＦの固定により内側容器３を完成させることができる。該内側容器３を該可撓性フィルムＦ側を上にして外側容器２内に密着挿入することにより緩衝保持容器１内において、該可撓性フィルムＦの固定位置を空間に浮かせた状態で位置させることができ、且つ、その周囲は強く補強され、ある程度の重さのある物品Ｗが載置されても支持することができる。
【００４８】
上記外側容器２内に挿入した内側容器３の開口部６４を覆った可撓性フィルムＦ上に適宜の大きさ及び様々な形状の壊れやすい種々の物品Ｗを載置することが可能となる。
【００４９】
物品Ｗの載置後、図５に示すように、該外側容器２の第１内蓋片３０の第２蓋側折り曲げ部２３及び第２内蓋片３２の第４蓋側折り曲げ部２５を水平方向へ折り曲げ、且つ、第１内側折り曲げ部４３を折り曲げて第１垂下片４５及び第２垂下片４６を内側容器３側へ向けて垂下させ、同様に、第２内側折り曲げ部４４を折り曲げて第３垂下片４７及び第４垂下片４８を内側容器３側へ向けて垂下させ、更に、第３内側折り曲げ部５３、５４より第１物品押え付け片５７を水平方向へ折り曲げ、同様に、第４内側折り曲げ部５５、５６より第２物品押え付け片５８を水平方向へ折り曲げることにより、該第１物品押え付け片５７及び第２物品押え付け片５８は内側容器３表面の可撓性フィルムＦ側に近接した位置へ移動し、該可撓性フィルムＦ上に載置された物品Ｗ上面に当接することになり、該第１物品押え付け片５７及び第２物品押え付け片５８の基部側の舌片も、第１可撓性フィルム支持片８１及び第３可撓性フィルム支持片８３上に位置することになり、物品Ｗを下方側へ強く押し付けることになる。
【００５０】
更に、第１内蓋片３０の係止片５９、６０に対し該第２内蓋片３２の係止片６１を表面又は裏面側にそのいずれか一方を位置させ、他方側を反対側へ位置させて重ね合わせることにより該第１内蓋片３０及び第２内蓋片３２は係止され、第１物品押え付け片５７及び第２物品押え付け片５８が水平状態或いはそれに近い状態を維持することになり、それにより物品Ｗの上面側を可撓性フィルムＦ側へ強く押し付けることになる。
【００５１】
該可撓性フィルムＦには大きな弾力性があり及び第１内蓋片３０及び第２内蓋片３２もダンボール等の厚手で弾力性の有る材料であるが所定位置を保つ保持機能があること、且つ、該可撓性フィルムＦは内側容器３の第１内側側壁片６５乃至第４内側側壁片６８及び第１外側側壁片８９乃至第４外側側壁片９２により形成された立ち上がった側壁上端となる外側容器２のほぼ中央の位置の第１可撓性フィルム支持片８１乃至第４可撓性フィルム支持片８４上に敷設されていることにより、物品Ｗが第１物品押え付け片５７及び第２物品押し付け片５８により押圧されても該外側容器２の第１底片７乃至第４底片１０と接するおそれはない。
【００５２】
上記により物品Ｗの載置及びその上方からの押え付けにより該物品Ｗの所定位置への固定が終了し、その後、第１外蓋片２９の第１挿入片３５及び第２外蓋片３１の第２挿入片３６を第１係止折り曲げ部３３及び第２係止折り曲げ部３４より折り曲げて各々貫通孔４０、４２に挿入係止することで該第１外蓋片２９及び第２外蓋片３１が外側容器２となる。
【００５３】
上記紙片を組み合わせて連結又は係止した当該部分については、必要に応じて外方より紙テープ等の適宜接合手段により補強一体化することができる。また、物品Ｗは、第１外蓋片２９及び第２外蓋片３１の係止を解除して拡開し、更に、第１物品押え付け片５７及び第２物品押え付け片５８の係止を解除して拡開することにより容易に可撓性フィルムＦ上より取り出すことができる。
【００５４】
また、該外側容器２及び内側容器３は、係止を解除し、折り曲げ部の折り曲げを元に戻すことにより簡単に元の平坦状の紙片に戻すことができるので、使用後に積み重ねることができ取り扱いや運搬が楽で、反復使用することが可能である。
【実施例２】
【００５５】
実施例１では、外側容器２の蓋となる短手方向に位置する第１内蓋片３０及び第２内蓋片３２を内蓋として物品Ｗを上から押える構成としたが、長手方向に位置する第１外蓋片２９及び第２外蓋片３１に該第１内蓋片３０及び第２内蓋片３２のように第１内蓋基部片３７、第２内蓋基部片３８、第１物品押え付け片５７、第２物品押え付け片５８及び係止片５９、６０、６１等の機能を設けることにより、それらを内蓋とすることができる。
【実施例３】
【００５６】
実施例１、２では、外側容器２の内蓋となる第１内蓋片３０及び第２内蓋片３２又は第１外蓋片２９及び第２外蓋片３１のいずれかの蓋片を内蓋としたが、それら第１内蓋片３０及び第２内蓋片３２及び第１外蓋片２９及び第２外蓋片３１のいずれも内蓋片とし、それらに実施例１、２と同様の内蓋基部片、物品押え付け片及び係止片等を設け、それらを内蓋兼用の外蓋とすることができる。
【００５７】
例えば、図６の断面図に示すように、外蓋となる対向する第１外蓋片２９ａ及び第２外蓋片３１ａの各々の両端部に第５垂下片４５ａ、第６垂下片４６ａ及び第７垂下片４７ａ、第８垂下片４８ａを形成し、該第５垂下片４５ａ乃至第８垂下片４８ａを折り曲げる第１蓋側折り曲げ部２２及び第３蓋側折り曲げ部２４の各々の端縁部側に切断部２２ａ、２２ｂ及び２４ａ、２４ｂを形成し、更に、第１係止折り曲げ部３３及び第２係止折り曲げ部３４の各々の端縁部側に切断部３３ａ、３３ｂ及び３４ａ、３４ｂを形成することで該第５垂下片４５ａ乃至第８垂下片４８ａを内側へ折り曲げることができるようになり、それらにより該第１内蓋片３０及び第２内蓋片３２の第１物品押え付け片５７及び第２物品押え付け片５８を上方から押え付けることができ、該第１外蓋片２９ａ及び第２外蓋片３１ａ側を物品押え付け手段とすることができる。
【００５８】
更に、第１外蓋片２９ａ、第２外蓋片３１ａは、その外縁部に第１挿入片３５ａ及び第２挿入片３６ａを設けておくことで貫通孔４０、４２に挿入係止することができ、外側容器２の蓋としての役割を成すことができる。
【符号の説明】
【００５９】
１                      緩衝保持容器
２                      外側容器
３                      内側容器
４、５、６              切断部
７                      第１底片
８                      第２底片
９                      第３底片
１０                    第４底片
１１                    第１底側折り曲げ部
１２                    第２底側折り曲げ部
１３                    第３底側折り曲げ部
１４                    第４底側折り曲げ部
１５                    第１側壁片
１６                    第２側壁片
１７                    第３側壁片
１８                    第４側壁片
１９                    第１側壁側折り曲げ部
２０                    第２側壁側折り曲げ部
２１                    第３側壁側折り曲げ部
２２                    第１蓋側折り曲げ部
２３                    第２蓋側折り曲げ部
２４                    第３蓋側折り曲げ部
２５                    第４蓋側折り曲げ部
２６、２７、２８        切断部
２９                    第１外蓋片
３０                    第１内蓋片
３１                    第２外蓋片
３２                    第２内蓋片
３３                    第１係止折り曲げ部
３４                    第２係止折り曲げ部
３５                    第１挿入片
３６                    第２挿入片
３７                    第１内蓋基部片
３８                    第２内蓋基部片
３９、４１              切断部
４０、４２              貫通孔
４３                    第１内側折り曲げ部
４４                    第２内側折り曲げ部
４５                    第１垂下片
４６                    第２垂下片
４７                    第３垂下片
４８                    第４垂下片
４９、５０、５１、５２  切断部
５３、５４              第３内側折り曲げ部
５５、５６              第４内側折り曲げ部
５７                    第１物品押え付け片
５８                    第２物品押え付け片
５９、６０、６１        係止片
６２                    側縁部
６３                    連結舌片
６４                    開口部
６５                    第１内側側壁片
６６                    第２内側側壁片
６７                    第３内側側壁片
６８                    第４内側側壁片
６９                    第１切断部
７０                    第２切断部
７１                    第３切断部
７２                    第４切断部
７３                    第１内側折り曲げ部
７４                    第２内側折り曲げ部
７５                    第３内側折り曲げ部
７６                    第４内側折り曲げ部
７７                    第１係止用突片
７８                    第２係止用突片
７９                    第３係止用突片
８０                    第４係止用突片
８１                    第１可撓性フルム支持片
８２                    第２可撓性フルム支持片
８３                    第３可撓性フルム支持片
８４                    第４可撓性フルム支持片
８５                    第１外側折り曲げ部
８６                    第２外側折り曲げ部
８７                    第３外側折り曲げ部
８８                    第４外側折り曲げ部
８９                    第１外側側壁片
９０                    第２外側側壁片
９１                    第３外側側壁片
９２                    第４外側側壁片
９３                    第１折り返し折り曲げ部
９４                    第２折り返し折り曲げ部
９５                    第３折り返し折り曲げ部
９６                    第４折り返し折り曲げ部
９７                    第１折り返し片
９８                    第２折り返し片
９９                    第３折り返し片
１００                  第４折り返し片
１０１                  第１補強折り曲げ部
１０２                  第２補強折り曲げ部
１０３                  第３補強折り曲げ部
１０４                  第４補強折り曲げ部
１０５                  第１隅部補強片
１０６                  第２隅部補強片
１０７                  第３隅部補強片
１０８                  第４隅部補強片
１０９                  第１補強片
１１０                  第２補強片
１１１                  第３補強片
１１２                  第４補強片
１１３                  第１係止用折り曲げ部
１１４                  第２係止用折り曲げ部
１１５                  第３係止用折り曲げ部
１１６                  第４係止用折り曲げ部
１１７                  第１係止用突片
１１８                  第２係止用突片
１１９                  第３係止用突片
１２０                  第４係止用突片
１２１                  第１係止用貫通孔
１２２                  第２係止用貫通孔
１２３                  第３係止用貫通孔
１２４                  第４係止用貫通孔
１２５                  第５係止用貫通孔
１２６                  第６係止用貫通孔
１２７                  第７係止用貫通孔
１２８                  第８係止用貫通孔
【図１】
0003197405.tif 000003
【図２】
0003197405.tif 000004
【図３】
0003197405.tif 000005
【図４】
0003197405.tif 000006
【図５】
0003197405.tif 000007
【図６】
0003197405.tif 000008